(57)【要約】【課題】キャップの締め込みに際して部材の摩耗を伴うことなしに明瞭なクリック感を与える。【解決手段】内壁面にねじ部を有し容器の口部の回りを取り囲む環状側壁（２ａ）と、この環状側壁（２ａ）の上端に一体成形される天面壁（２ｂ）とを備えたキャップ（２）において、前記キャップ（２）を、前記環状側壁（２ａ）の内側下端に設けられ容器の口部の基端に設けられた凸部（１ｂ１）を乗り越えることによって該キャップ（２）の緩みを防止する突起（ｃ）と、この突起（ｃ）が前記凸部（１ｂ１）を乗り越えた後において容器の口部先端に当接して該口部を液密状態に保持するシール部材（４）とにて構成する。【選択図】図１
2005104533.tif 000002
【特許請求の範囲】
【請求項１】
内壁面にねじ部を有し容器の口部の回りを取り囲む環状側壁と、この環状側壁の上端に一体成形される天面壁とを備えたキャップであって、
前記キャップは、前記環状側壁の内側下端に設けられ容器の口部の基端に設けられた凸部を乗り越えることによって該キャップの緩みを防止する突起と、この突起が前記凸部を乗り越えた後において容器の口部先端に当接して該口部を液密状態に保持するシール部材とを備えることを特徴とするキャップ。
【請求項２】
前記凸部及び突起の少なくとも一方が容器の口部の回りに沿って延びる環状体からなる請求項１記載のキャップ。
【請求項３】
前記突起の凸部における乗り越えがクリック感を与えるものである、請求項１又は２記載のキャップ。
【発明の詳細な説明】
【技術分野】
【０００１】
本発明は、容器の口部にねじ止めして該容器を密封するのに好適な緩み止め機能を備えたキャップに関するものであり、該キャップの締め込み完了を明瞭なクリック感をもって把握させようとするものである。
【背景技術】
【０００２】
化粧品、洗剤、食品、飲料等を入れるのに多用されているボトル、ジャー容器、チューブ容器等の各種容器では、容器の口部を密封する手段としてねじ込み式のキャップが使用されている。
【０００３】
かかるキャップは、外部から負荷される不用意な力で簡単に緩むことがないように緩み止め機能を備えたものが存在しており、その具体的な構造としては、容器の口部の基端に突起と位置決め用の凹部を、また、キャップの内側壁の下端に該凹部に係合する凸部をそれぞれ設け、キャップの締め込みに際して該凸部が突起を乗り越え締め込み完了時点で該凸部が凹部に嵌まり込むものが知られている（例えば、特許文献１参照）。
【０００４】
【特許文献１】実公昭５９−１４３４２号公報
【０００５】
ところで、上記のような緩み止め機能を有する、とくに合成樹脂製のキャップは、使用開始当初はその機能が有効に発揮されるものの、使用頻度が高まるにつれ突起の先端が摩耗するため緩み止め効果が比較的早期のうちに劣化してしまう欠点を有していた。
【０００６】
また、この種のキャップは、その内側に容器の口部先端に当接して液密状態を保持するパッキンが配置されるが、該パッキンが口部先端に当接する時点とキャップの締め込みが完了する時点とが重なるためキャップに設けられた凸部が口部の基端の突起を乗り越える時に生じるクリック感が弾性体からなるシール部材に吸収されてしまうため明瞭でなく、キャップの締め込みに際して抜け止めがなされたかどうか確認しにくいところに問題を有していた。
【発明の開示】
【発明が解決しようとする課題】
【０００７】
本発明の課題は、部材の局所的な摩耗を回避するとともに、締め込みの完了を明瞭に把握可能なクリック感を与えることができる新規なキャップを提案するところにある。
【課題を解決するための手段】
【０００８】
本発明は、内壁面にねじ部を有し容器の口部の回りを取り囲む環状側壁と、この環状側壁の上端に一体成形される天面壁とを備えたキャップであって、
前記キャップは、前記環状側壁の内側下端に設けられ容器の口部の基端に設けられた凸部を乗り越えることによって該キャップの緩みを防止する突起と、この突起が前記凸部を乗り越えた後において容器の口部先端に当接して該口部を液密状態に保持するシール部材とを備えることを特徴とするキャップである。
【０００９】
上記の構成になるキャップは、前記凸部及び突起の少なくとも一方が容器の口部の回りに沿って延びる環状体からなるものとするのが好ましい。
【００１０】
また、前記突起の凸部における乗り越えがクリック感を与えるものとすることができる。
【発明の効果】
【００１１】
キャップ側に設けられた突起が容器の口部の基端に設けられた凸部を乗り越えるまでとシール部材が容器の口部先端に当接するまでの間に時間差があるので、クリック感（突起乗り越え時の衝撃や打設音）が与えられ、キャップが抜け止めされたことが確実に把握できる。
【発明を実施するための最良の形態】
【００１２】
以下、図面を参照して本発明をより具体的に説明する。
図１は本発明に従うキャップをマスカラを入れる容器に適用した実施の形態を示したものであり、図の左側半分はキャップの装着完了前の状態を、図面の右側半分はキャップの装着完了後の状態をそれぞれ示したものである。
【００１３】
図における１は内容物を収納する容器である。この容器１は内容物の収納空間を形成する容器本体１ａとこの容器本体１ａの開口部に液密状態で嵌合して容器の口部を形成するソケット１ｂとこのソケット１ｂの内側に嵌合保持されるしごき部材１ｃからなる。また、２は容器１の口部にねじ止めされるキャップ、３はキャップ２に固定保持された塗布具（ブラシ）である。
【００１４】
キャップ２は内壁面にねじ部を有し容器１の口部の回りを取り囲む環状側壁２ａと、この環状側壁２ａの上端に一体成形される天面壁２ｂからなっており、環状側壁２ａの内側下端には容器１の口部の基端の拡大径部に設けられた凸部１ｂ１を乗り越えることによってその際の衝撃や打設音などによるクリック感を与えるとともにキャップ２の緩みを防止する突起ｃと、この突起ｃが凸部１ｂ１を乗り越えた後において容器の口部先端に当接して該口部を液密状態に保持するシール部材４とを備える。なお、本実施の形態では、環状側壁２の突起ｃが形成されている部位の厚さは、内壁面にねじ部が形成された環状側壁２ａの厚さと比較して薄肉になっており、これにより突起ｃが凸部１ｂ１を乗り越えるに際して突起ｃの形成部が弾性変形しやすくなり、スムーズな乗り越えが可能となる。
【００１５】
上記の構成になるキャップ２は突起ｃからシール部材４に至るまでの寸法Ｂ（図１の右側参照）が、容器１の口部先端から基端に設けられた凸部１ｂ１に至るまでの寸法Ａよりも大きくなっており、キャップ２の突起ｃが容器の凸部１ｂ１を乗り越えるまでとシール部材４が容器の口部先端に当接するまでの間に時間差があるので、クリック感が与えられ、キャップ２が抜け止めされたことが確実に把握することが可能であり、また、キャップ２の締め込みに際して突起ｃと凸部１ｂ１のみが短時間に接触するだけなので、摩耗によって緩み止め効果が劣化することもない。
【００１６】
本発明に従うキャップ２は合成樹脂にて構成することができるもので、キャップ２の突起ｃ及び凸部１ｂ１の少なくとも何れか一方は抜け止め効果を確実に発揮させるために環状体とする。容器１側に形成される凸部１ｂ１を好ましくは環状体とし、キャップ２側の環状側壁２ａの下方薄肉部に形成される突起ｃを間欠的に設けると、突起ｃが凸部１ｂ１を乗り越える際に弾性変形しやすくなり突起ｃ及び凸部１ｂ１に対して過度の摩擦力が作用しない利点がある。なお、キャップ２が螺合される容器１は実施の形態で示したような合成樹脂製の容器に限るものではなく、ガラス容器や金属製の容器にも適用することができる。
【産業上の利用可能性】
【００１７】
構成部材の摩耗を生じることがなく、クリック感も明瞭なので使い勝手のよいキャップを提供できる。
【図面の簡単な説明】
【００１８】
【図１】本発明に従うキャップをマスカラ容器に提供した実施の形態を示した図である。
【符号の説明】
【００１９】
１  容器
１ａ  容器本体
１ｂ  ソケット
１ｂ１  凸部
１ｃ  しごき部材
２  キャップ
２ａ  環状壁
２ｂ  天面壁
３  塗布具
４  シール部材
ｃ  突起
【図１】
2005104533.tif 000003